【手続補正書】
【提出日】平成17年7月5日(2005.7.5)
【手続補正１】
【補正対象書類名】明細書
【補正対象項目名】全文
【補正方法】変更
【補正の内容】
【書類名】      明細書
【発明の名称】  複数のパネルを有する情報機器
【特許請求の範囲】
【請求項１】  第１のパネル及び第２のパネルを含む情報機器であって、
この第１及び第２のパネルを互いに折り畳み可能に且つ両者がユーザーに対して対向可能に接続する接続手段を備え、
前記第１のパネルは、少なくともその一方の面に、表示部が備えられており、
前記第２のパネルは、一方の面に表示部が備えられ、他方の面にキーボードやタッチパネルなどのデータ入力部が備えられている、
ことを特徴とする複数のパネルを有する情報機器。
【請求項２】  第１のパネル及び第２のパネルを含む情報機器であって、
この第１及び第２のパネルを互いに折り畳み可能に且つ両者がユーザーに対して対向可能に接続する接続手段を備え、
前記第１のパネルは、少なくともその一方の面に表示部が備えられており、
前記第２のパネルは、その一方の面であって前記第１のパネルの表示部と共にユーザーに対向する面には表示部が備えられており、その反対側の面にはキーボードやタッチパネルなどのデータ入力部が備えられている、ことを特徴とする情報機器。
【請求項３】  第１のパネル及び第２のパネルを含む情報機器であって、
この第１及び第２のパネルを互いに折り畳み可能に且つ両者がユーザーに対して対向可能に接続する接続手段を備え、
前記第１のパネルは、少なくともその一方の面に表示部が備えられており、
前記第２のパネルは、その一方の面であって前記第１のパネルの表示部と共にユーザーに対向する面にはキーボードやタッチパネルなどのデータ入力部が備えられており、その反対側の面には表示部が備えられている、ことを特徴とする複数のパネルを有する情報機器。
【請求項４】  第１のパネル及び第２のパネルを含む情報機器であって、
この第１及び第２のパネルを互いに折り畳み可能に且つ両者がユーザーに対して対向可能に接続する接続手段を備え、
前記第１のパネルは、そのユーザーと対向する面に、表示部が備えられており、
前記第２のパネルは、一方の面に表示部が備えられ、他方の面にキーボードやタッチパネルなどのデータ入力部が備えられており、
前記第２のパネルは、その一方の面に備えられた表示部が前記第１のパネルの表示部と共にユーザーに対向している第１の状態と、その他方の面に備えられたデータ入力部が前記第１のパネルの表示部と共にユーザーに対向している第２の状態とのいずれの状態をも採り得るように、前記第１のパネルに接続されている、ことを特徴とする複数のパネルを有する情報機器。
【請求項５】  請求項４において、前記第２のパネルは、前記第１のパネルと接続されたままグルッと回転させられることにより、前記第１の状態から前記第２の状態に又は前記第２の状態から前記第１の状態に、移行できるようになっている、ことを特徴とする複数のパネルを有する情報機器。
【請求項６】  第１のパネル、第２のパネル、及び第３のパネルが、第１、第２、第３のパネルの順に重ねられた状態で保持され得る情報機器であって、
この第１、第２、及び第３のパネルの前記順に重ねられた状態で互いに隣り合う端部同士を互いに折り畳み自在に接続する接続手段を備え、
前記第１のパネルは、少なくともその一方の面に、表示部が備えられており、
前記第２のパネルは、少なくともその一方の面に、表示部が備えられており、
前記第３のパネルは、少なくともその一方の面であって前記第２のパネルと共にユーザーと対向する面に、キーボードやタッチパネルなどのデータ入力部が備えられている、
ことを特徴とする複数のパネルを有する情報機器。
【請求項７】  請求項６において、
前記第２のパネルは、その両面に、表示部が備えられている、複数のパネルを有する情報機器。
【請求項８】  請求項６又は７において、
前記第１のパネルの他方の面には、又は、前記第３のパネルの他方の面には、ユーザーが遠隔の相手方と会話を行うための送話部及び受話部が備えられている、複数のパネルを有する情報機器。
【請求項９】
請求項６から８までのいずれか一つにおいて、
前記第１のパネルと第２のパネルを、これらの両パネルのそれぞれユーザーと対向する各面の間の角度が約１１０度から約１７０度までの範囲内のいずれかの角度となるように、固定又は半固定するための第１の固定手段と、
前記第２のパネルと第３のパネルを、これらの両パネルのそれぞれユーザーと対向する各面の間の角度が約１００度から約１３０度までの範囲内のいずれかの角度となるように、固定又は半固定するための第２の固定手段と、
を備えたことを特徴とする、複数のパネルを有する情報機器。
【発明の詳細な説明】
【０００１】
【発明の属する技術分野】
本発明は、携帯型の情報機器に関する。
【０００２】
【従来の技術】
従来より、ＰＤＡ（パーソナル・デジタル・アシスタンス。携帯情報端末）やノート型（手帳型）パソコン（パーソナル・コンピュータ）などの携帯型の情報機器が市販されている。
【０００３】
【発明が解決しようとする課題】
しかしながら、従来の携帯型情報機器は、いずれも、データ入力機能が弱いという問題がある。すなわち、ノート型パソコンをＢ５ファイルサイズに小型化したものは、キーボードのキーが小さいため、大人の手で速く大量のデータを入力するのは不適格である。また、従来のＰＤＡは、その入力装置として、電子ペンなどで入力するタッチパネルを採用しているが、その入力画面は小さく、速く大量のデータを入力するには不適格である。
【０００４】
本発明はこのような従来技術の課題に着目したもので、不使用時には服のポケットに入るくらい小型化でき、他方、使用時には、大量の文字や画像を大きく表示できると共に、大量のデータを速く入力することができる、携帯型の情報機器を提供することを目的とする。
【０００５】
【課題を解決するための手段】
１．第１のパネル、第２のパネル、及び第３のパネルが、第１、第２、第３のパネルの順に重ねられた状態で保持される情報機器であって、この第１、第２、及び第３のパネルの一端を連結する連結手段であって、これらを互いに折り畳み自在に連結する連結手段と、前記第１のパネルは、その前記第２のパネルと対向する面に、表示部が備えられており、前記第２のパネルは、少なくともその一方の面に表示部が備えられており、前記第３のパネルは、その前記第２のパネルと対向する面に、キーボードやタッチパネルなどのデータ入力部が備えられている、ことを特徴とする情報機器。
【０００６】
２．上記１において、前記第２のパネルは、その両面に、表示部が備えられている、情報機器。
【０００７】
３．上記１又は２において、前記第１のパネルの他方の面には、又は、前記第３のパネルの他方の面には、携帯電話機を構成するためのテンキー部と、マイクと、スピーカと、が備えられている、情報機器。
【０００８】
４．上記１，２又は３において、前記第１のパネルと第２のパネルを、約１１０度から約１７０度まで（より望ましくは、約１２０度から１６０まで）の間の少なくとも一つの角度で固定するための固定手段と、前記第２のパネルと第３のパネルを、約１００度から約１３０度までの間の少なくとも一つの角度で固定するための固定手段と、を備えたことを特徴とする、情報機器。
【０００９】
５．第１のパネル、及び第２のパネルが、重ねられた状態で保持される情報機器であって、この第１及び第２のパネルの一端を連結する連結手段であって、これらを互いに折り畳み自在に連結する連結手段と、前記第１のパネルは、その前記第２のパネルと対向する面に、表示部が備えられており、前記第２のパネルは、一方の面に表示部が備えられ、他方の面にキーボードやタッチパネルなどの入力部が備えられており、前記第２のパネルの一方の面と他方の面は、前記第１のパネルの表示部に対して、いずれもが、見開きの状態に保持できるようになっている、ことを特徴とする情報機器。
【００１０】
【発明の実施の形態】
実施形態１．
まず、本発明の実施形態１の構成を説明する。図１から図３までは、本発明の実施形態１を示す図である。図１〜３において、１は第１のパネル、２は第２のパネル、３は第３のパネルである。また、４は、これらの各パネル１，２，３を互いに折り曲げ自在に連結するための連結部（ヒンジ又は蝶番）である。つまり、連結部４は、各パネル１，２，３を、その順番に、重ねて置けるように連結する（図１に示す状態）と共に、各パネル１，２，３を、互いに「見開き・折り畳み」が自在なように連結するものである。図２に示すものは、第１のパネル１と第２のパネル２とを、見開きの状態にしたものである。また図３に示すものは、第２のパネル２と第３のパネル３とを、見開きの状態にしたものである。
【００１１】
また、本実施形態では、前記第１のパネル１の外側の面には、携帯電話機１０が構成されている。この携帯電話機１０は、テンキー１１、マイク１２、スピーカ１３、及び、通信の相手先の名前や相手先からのメッセージなどを表示するための液晶表示部１４、から構成されている。
【００１２】
また、本実施形態では、前記第１のパネル１の内側の面には、液晶表示部１ａが備えられている。また、前記第２のパネル２の前記第１のパネル１と対向する面には、液晶表示部２ａ（図２参照）が備えられている。また、前記第２のパネル２の前記第３のパネル３に対向する面には、液晶表示部２ｂが備えられている。また、前記第３のパネル３の前記第２のパネル２に対向する面には、キーボード部３ａが備えられている（なお、前記第３のパネル３の前記面には、このキーボード部３の替わりに、電子ペンや人間の指先による接触又は押圧の動作などでデータ入力できるタッチパネルなどを備えるようにしてもよい）。
【００１３】
また、本実施形態では、図示していないが、図２の状態で、第１のパネル１と第２のパネル２とを互いに見開きの状態に保持するとき、第２のパネル２と第３のパネル３とを互いにほぼ密着するように固定するための固定手段（フックなど）が備えられている。また、本実施形態では、図示していないが、図３の状態で、第２のパネル２と第３のパネル３とを互いに見開きの状態に保持するとき、第１のパネル１と第２のパネル２とを互いにほぼ密着するように固定するための固定手段（フックなど）が備えられている。
【００１４】
また、本実施形態では、図示していないが、前記第１のパネル１と第２のパネル２を、それらが互いに見開きの状態にされたとき、それらを互いに約１１０度から約１７０度まで（より望ましくは、１２０〜１６０度まで）の間の任意の角度で固定するための固定手段（フックや、前記連結部４による摩擦手段など）が備えられている。また、本実施形態では、前記第２のパネル２と第３のパネル３を、それらが互いに見開きの状態にされたとき、それらを互いに約１００度から約１３０度までの間の任意の角度で固定するための固定手段（フックや、前記連結部４による摩擦手段など）が備えられている。
【００１５】
次に、本実施形態の動作を説明する。まず、不使用時には、図１に示すように、第１、第２、及び第３のパネル１，２，３を互いに重ね合わせることにより、これらの３つのパネル１，２，３を互いに重ねてコンパクトにして持ち運ぶことができるようになっている。なお、この図１に示す状態でも、前記第１のパネル１の外側の面に形成された携帯電話機１０は、そのまま使用することができる。
【００１６】
次に、主として、文字又は画像のデータを出力・表示する（ユーザーが見る）ために使用する時は、図２のような状態で使用する。すなわち、第１のパネル１と第２のパネル２とを見開きの状態にする。そして、第２のパネル２と第３のパネル３とは、それらの互いに対向する面がほぼ密着するように固定する（図示しないフックなどにより）ようにする。
【００１７】
また、この場合、互いに見開き状態にされた第１のパネル１と第２のパネル２とは、例えば、約１１０度から約１７０度の間の中の複数の角度で、固定できるようにしている。この固定は、例えば、連結部４の摩擦手段により、ユーザーの任意の角度で半固定状態に保持される。これにより、ユーザーは、例えば、図２のＡで示す部分に左手の親指を入れて、第１のパネル１及び第３のパネル３の外側の面を左手の手のひらに載せることにより、本実施形態の装置を、左手の片手のみで、安定的に保持・支持することができる。
【００１８】
この実施形態では、図２の使用時は、図２の上下方向がそのままユーザーの上下方向とほぼ一致するように、使用する。つまり、ユーザーは、あたかも、第１のパネル１と第２のパネル２とが、本の両面のように見開かれた状態で、使用する。
【００１９】
また、第１のパネル１と第２のパネル２の表示部１ａ及び２ａが、約１１０度から約１７０度の間の中の任意の角度で見開かれた状態で、文字又は画像が表示されるので、ユーザーの両眼からの表示部１ａ及び２ａの全体の距離が、両眼からほぼ等距離に保持されるので、ユーザーにとって、大変見やすいものになる。
【００２０】
また、図２に示すように、本実施形態では、第２のパネル２は大変薄く形成されている。また、第１のパネル１と第３のパネル３は、ほぼ均等な厚さに形成されている。したがって、図２に示すように見開きの状態にされたとき、第１のパネル１及び第２のパネル２を重ねたものと、第３のパネル３とは、その厚さがほぼ均等になっている。よって、ユーザーは、前記Ａで示す部分に親指を入れて本実施形態を支持するとき、左右に見開きにされた部分が左右均等なので、左右のバランスが取りやすく、大変にもちやすく支持しやすいものになる。
【００２１】
次に、本実施形態を、主として大量のデータを速く入力するために使用するときの動作を説明する。この場合は、図３に示すように、第２のパネル２と第３のパネル３とを互いに見開いた状態で、使用する。そのとき、第２のパネル２は、第１のパネル１とほぼ密着するように、図示しないフックなどの手段により固定するようにしている。
【００２２】
また、この場合、ユーザーは、本実施形態を、第３のパネル３が下方にくるようにテーブルの上などに置いて、図３の矢印Ｂで示す方向から、第３のパネル３のキーボード部３ａを操作して、データ入力を行う。データ入力の内容は、第２のパネル２の表示部２ｂにリアルタイムに表示されるので、ユーザーは、入力の誤りなどを随時チェックできる。
【００２３】
また、この場合、第２のパネル２の表示部２ａと第３のパネル３のキーボード部３ａは、連結部４に形成された摩擦手段などの固定（半固定）手段により、約１００度から約１３０度の間の中の任意の角度で見開かれた状態で、保持される。よって、ユーザーは、キーボード部３ａを使用しながら、表示部２ａを見るときに、表示部２ａの画面が大変見やすいものになる。
【００２４】
実施形態２．
次に、図４に基づいて、本発明の実施形態２を説明する。この実施形態は、第１のパネル１１と第２のパネル１２とが、互いに図４のように連結されて形成されている。図４（ａ）は、主として、文字や画像を出力するために使用するときの図である。この場合は、第１のパネル１１の表示部１１ａと第２のパネル１２の表示部１２ａとが、互いに見開きの状態になるように、見開いて使用する。
【００２５】
次に、この図４（ａ）の状態から、主として、データ入力のために使用するときに移行するための動作を説明する。この場合は、図４（ｂ）に示すように、第１のパネル１１と第２のパネル１２とを、いったん切り離す。そして、第２のパネル１２の前記表示部１２ａの備えられた面の反対側の面に備えられたキーボード部１２ｂのある方の面を、ユーザー側に向けて、このキーボード部１２ｂが前記第１のパネル１１の表示部１１ａと見開きの状態になるように、第１のパネル１１と第２のパネル１２とを、連結する（連結手段は図示省略するが、公知のものを利用できる）。これにより、図４（ｃ）に示すような状態となり、ユーザーがデータ入力しやすい状態となる。
【００２６】
この実施形態２によっても、実施形態１とほぼ同様の効果が得られる。なお、この実施形態２において、図４（ｂ）に示すようにではなく、例えば、第１のパネル１１と第２のパネル１２の中心部を連結したまま、グルッと回転させて、第１のパネル１１の表示部１１ａと、第２のパネル１２のキーボード部１２ｂとを、見開きの状態にさせるようにしてもよい。
【００２７】
【発明の効果】
以上のように、本発明によれば、不使用時には服のポケットに入るくらい小型化でき、他方、使用時には、大量の文字や画像を大きく表示できると共に、大量のデータを速く入力することができる、携帯型の情報機器を提供することができる。
【図面の簡単な説明】
【図１】  本発明の実施形態１の不使用時の状態を示す斜視図である。
【図２】  実施形態１を主としてデータ表示（出力）のために使用する時の状態を示す斜視図である。
【図３】  実施形態１を主としてデータ入力のために使用する時の状態を示す斜視図である。
【図４】  （ａ），（ｂ），（ｃ）はいずれも、本発明の実施形態２を説明するための図である。
【符号の説明】
１，１１  第１のパネル
２，１２  第２のパネル
３  第３のパネル
１ａ，２ａ，２ｂ，１１ａ，１２ａ  表示部
３ａ，１２ｂ  キーボード部
４  連結部
１０  携帯電話機
【手続補正２】
【補正対象書類名】図面
【補正対象項目名】図３
【補正方法】変更
【補正の内容】
【図３】
1999219249.tif 000001